(57)【特許請求の範囲】
【請求項１】
外ケース、ヒータを支持し前記外ケース内に置かれて前記ヒータの電源接続部を伴い外ケースとの間で位置決めされる遮熱板、前記ヒータの上に置かれて加熱され加熱調理を行う鍋または盤状の調理体、前記位置決めされた電源接続部に外ケースを通じその側方から接続され、温度制御用の感熱棒をヒータ側に貫通させ調理体と接触させる給電制御具、前記遮熱板に設けられ、遮熱板の位置決め位置への進出と位置決め位置からの後退とによる外ケースとの相対移動に応動して、前記給電制御具の外ケースを通じたヒータの電源接続部への接続を、許容する位置と阻止する位置と、に変位する接続安全部材、を備えると共に、前記遮熱板の接続安全部材および給電制御具間に、給電制御具が前記電源接続部に接続された時に係合し合って互いの外ケースからの取り外しを防止する係合部を有し、この遮熱板側と給電制御具側との係合を、調理体の取り外しか係合解除部材の手動操作かに応動して緩和ないしは外すようにした、接続解除安全機構を備えたことを特徴とする加熱調理器。
【請求項２】
調理体の取り外しによる接続安全機構の係合の緩和ないしは外しは、調理体の取り外しによる干渉負荷の解除に応動して行う請求項１に記載の加熱調理器。
【請求項３】
干渉負荷は、調理体の重みによる押し下げ負荷である請求項２に記載の加熱調理器。
【請求項４】
干渉負荷は、調理体によるによる側方への押し退け負荷である請求項２に記載の加熱調理器。
【発明の詳細な説明】
【技術分野】
【０００１】
本発明は、ヒータで調理体を加熱して焼き物調理を行う加熱調理器に関し、詳しくはヒータとこれに加熱される調理体をヒータを支持する遮熱板、ヒータの電源接続部に接続して電源からの給電と前記接続時に調理体に接触させる感熱棒からの温度情報を基に温度調節を行う給電制御具などと共に個々に分離できるよう外ケースに組み合わせて用いる加熱調理器に関するものである。
【背景技術】
【０００２】
外ケースはヒータで加熱される調理体からまわりの物や使用者を熱的に保護し、またヒータなどを外力から保護する作用を営み、遮熱板は外ケースおよびその下の受け面をヒータの熱から保護する作用を営むので、製品および使用の安全が図れる。また、近時の衛生観念の高まりから、分解して隅々まで洗浄や拭き取りなどのお手入れができるように構成要素を適当な単位で分離できるようにすることが行われている（例えば、特許文献１参照。）。また、このような分離は構成要素を細かな単位で交換してメンテナンスができる利点もある。特に、給電制御具は、ヒータへの給電を意味し、製品の適正、安全使用のために正しい組み合わせ状態で使用される必要があるし、洗浄の回避のために丸洗い部品からの単独な取り外しが必須となる。
【０００３】
そこで、特許文献１は、単独に取り外せるようにした給電制御具を適正な組み合わせ条件で装着されるようにするのに、ヒータを支持した遮熱板が適正に装着されていないと、遮熱板の感熱棒受け入れ孔をシャッタが塞いで感熱棒が挿入できず、給電制御具の装着、ヒータへの接続を邪魔するようにした安全機構を採用することを提案している。また、ヒータを支持した遮熱板の上に調理体が適正に装着されていないと、遮熱板の感熱棒受け入れ孔をシャッタが塞いで感熱棒が挿入できず、給電制御具の装着、ヒータへの接続を邪魔するようにした安全機構を採用することも行われている（例えば、特許文献２参照。）。
【０００４】
一方、給電制御具が適正な装着状態になると電気接続部側と弾性係合して装着状態に係止し、この係止を解除しないと取り外せなくすることで不用意な取り外しを防止することも行われている（例えば、特許文献３参照。）。
【特許文献１】特開２００５−２３７６４９号公報
【特許文献２】特開平４−１２９５１２号公報
【特許文献３】特開２００３−３３９５５０号公報
【発明の開示】
【発明が解決しようとする課題】
【０００５】
しかし、特許文献１、２に開示の技術は、給電制御具の取り外しに関しての規制がないので、給電制御具が使用中に悪戯や不用意な取り外しを阻止できず、加熱されている調理体に接触して昇温している感熱棒が引き出されて、熱い思いをしたり、周りや樹脂製品などを変色させたり、変形させたりすることが考えられる。
一方、特許文献３に開示の技術は、給電制御具の取り外しには電源接続部側との弾性係合を解除する必要があるので、悪戯や不用意な取り外しを防止できるが、安全な接続を確保する機能およびそのタイミングとの連係が欠如している。
【０００６】
本発明の目的は、構造や操作が複雑化することなく、給電制御具が他の部分の適正な組み合わせを条件に装着でき、不使用状態に関連してしか給電制御具が取り外せない使用および取り扱いに安全な加熱調理器を提供することにある。
【課題を解決するための手段】
【０００７】
本発明の加熱調理器は、外ケース、ヒータを支持し前記外ケース内に置かれて前記ヒータの電源接続部を伴い外ケースとの間で位置決めされる遮熱板、前記ヒータの上に置かれて加熱され加熱調理を行う鍋または盤状の調理体、前記位置決めされた電源接続部に外ケースを通じその側方から接続され、温度制御用の感熱棒をヒータ側に貫通させ調理体と接触させる給電制御具、を備え、外ケース、ヒータを支持した遮熱板による使用および取り扱い上の熱的な安全を図りながら、外ケース、ヒータを支持した遮熱板、調理盤、および給電制御具それぞれを、必要ならヒータおよび遮熱板をも、分離して手入れやメンテナンスができる。
【０００８】
上記の目的を達成するために、本発明の加熱調理器は、特に、前記遮熱板に設けられ、遮熱板の位置決め位置への進出と位置決め位置からの後退とによる外ケースとの相対移動に応動して、前記給電制御具の外ケースを通じたヒータの電源接続部への接続を、許容する位置と阻止する位置と、に変位する接続安全部材、をさらに備え、前記遮熱板の接続安全部材および給電制御具間に、給電制御具が前記電源接続部に接続された時に係合し合って互いの外ケースからの取り外しを防止する係合部を有し、この遮熱板側と給電制御具側との係合を、調理体の取り外しか係合解除部材の手動操作かに応動して緩和ないしは外すようにした、接続解除安全機構を備えたことを特徴としている。
【０００９】
このような構成では、外ケース内に置かれてヒータの電源接続部を伴い外ケースとの間で位置決めされる遮熱板に備えた接続安全部材が、遮熱板の位置決め位置への進出と位置決め位置からの後退とによる外ケースとの相対移動に応動することにより、特別な操作なく、遮熱板が適正な位置決め位置になければ給電制御具は接続安全部材により邪魔されてヒータの電源接続部に接続できない。また、遮熱板が適正な位置決め位置にあれば給電制御具は接続安全部材に邪魔されずにヒータの電源接続部に接続できるが、ヒータが遮熱板から着脱可能で支持の有無が視認できるので無駄な装着が行なわれるのを防止できるし、万一装着されることがあってもヒータの電源接続部との接続は行われず、かつ、そのような状況に気付きやすくする。また、接続解除安全機構が接続安全部材および給電制御具間で特別な部材なしに構成されて、給電制御具の適正な位置決め位置にある遮熱板に支持し外ケースに対し位置決めしたヒータの電源接続部への接続に応動することにより、特別な操作なく、遮熱板側および給電制御具側間で係合し、互いの外ケースからの取り外しを阻止するように係合し、不使用に関連する調理体の取り外しか不使用を意識した係合解除部材の手動操作がないと、前記係合は緩和ないしは外れないので、使用中に給電制御具が外されるのを防止することができ、不使用に関連する調理体の取り外しか不使用を意識した係合解除部材の手動操作があると前記係合が緩和ないしは外れて給電制御具を軽微な抵抗を伴いあるいは抵抗なしに取り外せる。
【００１０】
調理体の取り外しによる接続安全機構の係合の緩和ないしは外しは、調理体の取り外しによる干渉負荷の解除に応動して、特別な部材なしに行うことができる。
【００１１】
この場合、干渉負荷は、調理体の重みによる押し下げ負荷として利用することができる。
【００１２】
また、干渉負荷は、調理体によるによる側方への押し退け負荷として利用することができる。
【００１３】
本発明のそれ以上の目的および特徴は、以下の詳細な説明および図面の記載によって明らかになる。本発明の各特徴は、それ単独で、あるいは可能な限り種々な組合せで複合して採用することができる。
【発明の効果】
【００１４】
本発明の加熱調理器によれば、構成部材それぞれを必要単位に分離して手入れやメンテナンスができるようにするのに、遮熱板が適正な位置決め位置になければそれに応動した接続安全部材により給電制御具は電源接続部への不適正な接続を防止され、遮熱板が適正な位置決め位置にあればそれに応動した接続安全部材の邪魔なく電源接続部に適正に接続でき、併せ、給電制御具の適正な接続時に、接続安全部材および給電制御具間での特別な部材を必要としない接続解除安全機構が応動して相互を互いの外ケースからの取り外しを阻止するように係合し使用状態で問題となる給電制御具の取り外しを防止でき、不使用に関連する調理体の取り外しか不使用を意識した係合解除部材の手動操作があると前記係合が緩和ないしは外れ給電制御具を軽微な抵抗を伴いあるいは抵抗なしに取り外すことができ、構造や操作が複雑化することなく、給電制御具が他の部分の適正な組み合わせを条件に装着でき、不使用状態に関連してしか給電制御具が取り外せない使用および取り扱いに安全なものとなる。また、係合の緩和による軽微な抵抗を伴う取り外しは、悪戯や不用意な取り外しに対する二重の安全になり、不使用との関連性がやや低くなる手動操作への応動に採用するのが特に、好適である。
【発明を実施するための最良の形態】
【００１５】
以下、本発明に係る加熱調理器の実施の形態につき図１〜図８を参照しながら詳細に説明し、本発明の理解に供する。以下の説明は本発明の具体例に関するものであって、特許請求の範囲の記載を限定するものではない。
【００１６】
本実施の形態の加熱調理器の図１に示す例、図２に示す例、図３に示す例は、いずれも、図５〜図８に示すように、樹脂製の外ケース１、ヒータ２を支持し外ケース１内に置かれてヒータ２の電源接続部３を伴い外ケース１との間で位置決めされる金属製の遮熱板４、ヒータ２の上に置かれて加熱され加熱調理を行う金属製ないしは陶製や石製などの鍋または盤状の調理体５、前記位置決めされた電源接続部３に外ケース１を通じその側方から接続され、温度制御用の感熱棒６をヒータ２側に貫通させ調理体５と接触させる樹脂製の給電制御具７、を備え、外ケース１、遮熱板２による使用および取り扱い上の熱的な安全を図りながら、外ケース１、ヒータ２を支持した遮熱板４、調理盤５、および給電制御具７のそれぞれを、あるいはヒータ２および遮熱板４をも、分離して手入れやメンテナンスができるようにする。
【００１７】
具体的には、ヒータ２は図６に示すように、１本のシーズヒータとしヒータ線をアルミニウム合金（例えばＡＤＣ１２）などの金属製の被覆部２ａで被覆して端子２ｂを両端から突出させた形態とし、遮熱板４の底部に切起こしなどして設けた支持部４ａの上端二股部に着脱できるように嵌め合わせるか、あるいはかしめにより一体化して、支持し、遮熱板４に対し一定の距離だけ離して、遮熱板４への熱影を抑えている。遮熱板４は底部下面に金属製であるが複数の孔を有して熱伝導を抑える防熱脚８を持ち、図１に示すように外周前部に取付けたヒータ２の電源接続部３を外ケース１の前部に形成した開口１ａに内側から嵌め合わせながら、前記防熱脚８を外ケース１の底部に設けた位置決め凹部９に嵌め合わせることで、電源接続部３を伴い外ケース１に対して位置決めされる。ヒータ２は前記端子２ｂ、２ｂを前記電源接続部３の図７に示す左右一対の端子孔３ａに遮熱板４の内側から嵌め合わせることで位置決めされ、その位置で支持部４ａに支持される。これによって給電制御具７は、図８に示すように突出している感熱棒６を電源接続部３の端子孔３ａ、３ａ間の中央に位置する感熱棒孔３ｂに挿入しながら、外ケース１の開口１ａに嵌め合わせて位置決めされる際に、感熱棒６の左右にある一対の接続孔７ａが端子２ｂ、２ｂに嵌り合い、電源接続部３および給電制御具７間の電気的な接続が確実かつ適正になされ、かつ、感熱棒６がヒータ２の上に置かれる調理体５の底部に所定の圧接代を満足して圧接する。結果、給電制御具７がそれに持ち、あるいは接続した電源コードを家庭用電源に接続することでヒータ２に給電できる図１〜図３、図５に示すような使用状態となる。
給電制御具７は、また、図１〜図３、図５、図８に示すようなレバータイプないしはダイヤルタイプとした操作部材１１を有し、前記使用状態では、操作部材１１の操作によって給電、給電停止と、給電時の調理温度の設定ができるようになっている。調理温度が設定されると給電が開始し、感熱棒６にて検出される温度が設定温度になるように給電を制御する。これによって、調理体５の中または上での煮炊きや焼き物などの加熱調理や保温などが設定温度で達成される。
【００１８】
また、外ケース１は、周壁１ｂの上端から外方下向きに空隙１ｄを有して折り返した形のガード壁１ｃを有して、ヒータ２や調理体５からの熱が外ケース１の外回りに及びにくくして、ユーザ側の熱的安全を図っている。図示する加熱体５は鍋の形態をなし、図６に示すように上端部のフランジ５ａの直径線状２箇所に、フランジ５ａの輪郭と連続して側方に張り出した樹脂製の取手１２を設けて、加熱体５の温度に関係なく、着脱や持ち運びなど安全に取り扱えるようにしている。なお、給電制御具７も外ケース１に対してガード壁１ｃの輪郭と連続するように前部へ張り出し、天面の手掛かり凹部７ｂも手伝って外ケース１に対する着脱操作をし易くしている。給電制御具７の前面には給電のオン、オフ表示用のランプ１３、設定温度表示部１４、電源コード接続部１５が設けられている。
【００１９】
以上のような加熱調理器は、外ケース１、ヒータ２を支持し外ケース１内に置かれてヒータ２の電源接続部を３伴い外ケース１との間で位置決めされる遮熱板４、ヒータ２の上に置かれて加熱され加熱調理を行う鍋または盤状の調理体５、前記位置決めされた電源接続部３に外ケース１を通じその側方から接続され、温度制御用の感熱棒６をヒータ２側に貫通させ調理体５と接触させる給電制御具７、を備え、外ケース１、ヒータ２を支持した遮熱板４による使用および取り扱い上の熱的な安全を図りながら、外ケース１、ヒータ２を支持した遮熱板４、調理体５、および給電制御７それぞれを、必要ならヒータ２および遮熱板４をも、分離して手入れやメンテナンスができる。
【００２０】
これに対応して、構造や操作が複雑化することなく、給電制御具が他の部分の適正な組み合わせを条件に装着でき、不使用状態に関連してしか給電制御具が取り外せない使用および取り扱いに安全なものとするために、本実施の形態の図１の例、図２、図３の例に示す加熱調理器は、特に、前記遮熱板４に設けられ、遮熱板４の位置決め位置への進出と位置決め位置からの後退とによる外ケース１との相対移動に応動して、給電制御具７の外ケース１を通じたヒータ２の電源接続部３への接続を、許容する図１で代表して実線で示す位置と、阻止する仮想線で一部を示す位置と、に変位する接続安全部材２１、をさらに備え、遮熱板４の接続安全部材２１および給電制御具７間に、給電制御具７が外ケース１に遮熱板４を介し位置決めされた電源接続部３に接続された時に、図１の例がそうなっているように係合し合って互いの外ケース１からの取り外しを防止する係合部２２を有し、この遮熱板４側と給電制御具７側との係合を、図１、図２に示す各例での調理体５の取り外しか、図３に示す例での係合解除部材２３の操作部２３ａによる下動などの操作か、のいずれかに応動して緩和ないしは外すようにした、接続解除安全機構２４を備えたものとしている。
【００２１】
これにより、外ケース１内に置かれてヒータ２の電源接続部３を伴い外ケース１との間で位置決めされる遮熱板４に備えた接続安全部材２１が、遮熱板４の位置決め位置への進出と位置決め位置からの後退とによる外ケース１との相対移動に応動することにより、特別な操作なく、遮熱板４が適正な位置決め位置になければ給電制御具７は接続安全部材２１により邪魔されてヒータ２の電源接続部３接続できない。また、遮熱板４が適正な位置決め位置にあれば給電制御具７は接続安全部材２１に邪魔されずにヒータ２の電源接続部３に接続できる。しかし、ヒータ２が遮熱板４から着脱可能でも支持の有無が視認できるので無駄な装着が行なわれるのを防止できるし、万一装着されることがあってもヒータ２の電源接続部３との接続は行われず、かつ、嵌め合わせ時の遊びや抵抗感が無いといったことで、そのような状況に気付きやすくし、対処を促せる。また、接続解除安全機構２４が接続安全部材２１および給電制御具７間で、少ない部材ないしは特別な部材なしにも構成されて、給電制御具７の適正な位置決め位置にある遮熱板４に支持し外ケース１に対し位置決めしたヒータ２の電源接続部３への接続に応動することにより、特別な操作なく、遮熱板４側および給電制御具側７間の係合部２２が、互いの外ケース１からの取り外しを阻止するように係合し、不使用に関連する調理体５の取り外しか不使用を意識した係合解除部材２３の手動操作がないと、前記係合は緩和ないしは外れないので、使用中に給電制御具７が外されるのを防止することができ、不使用に関連する調理体５の取り外しか不使用を意識した係合解除部材２３の手動操作があると前記係合が緩和ないしは外れて給電制御具７を軽微な抵抗を伴いあるいは抵抗なしに取り外せるようになる。
【００２２】
この結果、加熱調理器において、構成部材それぞれを必要単位に分離して手入れやメンテナンスができるようにするのに、遮熱板４が適正な位置決め位置になければそれに応動した位置となる接続安全部材２１により給電制御具７は電源接続部３への不適正な接続を防止され、遮熱板４が適正な位置決め位置にあればそれに応動した位置となる接続安全部材２１の邪魔なく電源接続部３に適正に接続でき、併せ、給電制御具７の適正な接続時に、接続安全部材２１および給電制御７間での特別な部材を必要としない接続解除安全機構２４が応動して、従って、特別な操作なしに、相互を互いの外ケース１からの互いに逆向きな取り外しを阻止するように係合部２２で係合し使用状態で問題となる給電制御具７の取り外しを防止でき、不使用に関連する調理体５の取り外しか不使用を意識した係合解除部材２３の手動操作があると前記係合が緩和ないしは外れ給電制御具７を軽微な抵抗を伴いあるいは抵抗なしに取り外すことができ、構造や操作が複雑化することなく、給電制御具７が他の部分の適正な組み合わせを条件に装着でき、不使用状態に関連してしか給電制御具７が取り外せない使用および取り扱いに安全なものとなる。また、係合の緩和による軽微な抵抗を伴う取り外しは、悪戯や不用意な取り外しに対する二重の安全になり、不使用との関連性がやや低くなる係合解除部材２３の手動操作への応動方式に採用するのが特に、好適である。
【００２３】
さらに具体的には、電源接続部３は樹脂製で、図４に示すような金属製の取付け枠３１の前部にねじ止めなどして固定し、取付け枠３１を遮熱板４の周壁前部にねじ止めするなどして、遮熱板４に固定している。取付け枠３１の左右両側の耳片３１ａ内側のそれぞれに前記接続安全部材２１を軸２５により回転自在に枢支している。接続安全部材２１は図３に示すように軸２５まわりに耳片３１ａの内面に沿って回動するほぼＬ字型をした回動基片２１ａの下辺に接続阻止片２１ｂを折り曲げ形成し、上部に遮熱板４の外ケース１への適正な位置決め位置への内側からの進出、後退に応動する応動片３１ｃを回動基片３１ａの回動規制窓３１ｂから外側に突出するように折り曲げ形成している。
【００２４】
これによって、接続安全部材２１は規制窓３１ｂによって必要な回動範囲を持って取付け枠３１上に支持され、遮熱板４が電源接続部３を伴い外ケース１への適正位置に位置決めされたとき、電源接続部３の左右両側に突出している各応動片３１ｄが外ケース１の周壁１ｂ内面に当接し、その後の遮熱板４および外ケース１が近づき合う相対移動に応動して後部側に移動、つまり図１〜図３の各例では取付け枠３１上で左方向に移動させられる。このため、回動基片２１ａは同図取付け枠３１上において反時計回りに回動されて、接続阻止片２１ｂが、図１に代表して示す給電制御部７の装着経路に位置する仮想線の阻止位置から、実線で示す着脱経路から上方に外れる阻止解除位置に上動させられる。従って、適正な位置への遮熱板４の装着によって、給電制御具７の装着が可能になり、遮熱板４の適正な位置への装着がないと、つまり、適正位置まで進出しない中途半端な装着であると、接続安全部材２１の接続阻止片２１ｂは仮想線の阻止位置にあって、給電制御具７が装着されてきても接続阻止片２１ｂに当接して適正位置に至れないのは勿論、電源接続部３との電気的な接触、接続が全く行われないようにする。
【００２５】
また、接続解除安全機構２４は、図１の例では、図４に示すように接続安全部材２１の阻止片２１ｂに下面側に打ち起こし形成した係合突起２２ａと、給電制御具７の前端下部の突出部７ｃの上面に形成した係合突起２２ｂとで係合部２２を形成するようにしてあり、図２、図３に示す各例では、前記係合突起２２ａに代わって阻止片２１ｂに穿った係合穴２２ｃと給電制御具７側の突出部７ｃに上方に突出するように図２に示すようにばね４２で付勢するか、図３に示すように支持した係合ピン２２ｄとで係合部を形成するようにしてある。
【００２６】
いずれにしても、給電制御具７が適正位置に装着されるのと同時に、接続解除安全機構２４の、遮熱板４側にある係合部２２の係合突起２２ａおよび給電制御具７側にある係合突起２２ｂどうしか、また、遮熱板４側にある係合部２２の係合穴２２ｃおよび給電制御具７側にある係合ピン２２ｄどうしか、が係合し合い、遮熱板４および給電制御具７とが互いに外ケース１から取り外されるのを阻止する。いずれの係合も、給電制御具７の係合突起２２ｂや係合ピン２２ｄが接続阻止片２１ｂを押し上げながら潜り抜けた後達成されるようにしている。この潜り抜けのために、接続安全部材２１は前記押し上げを許容するだけの回動規制窓３１ｂとの遊びまたは応動片２１ｃと阻止片２１ｂとの間の弾性変形性を有している必要がある。図示例では前者の構成としてある。また、前記押し退けがスムーズに行なわれるように係合突起２２ｂの後端部、係合ピン２２ｄの上端に丸味または傾斜、あるいはその複合による押し上げ案内部２２ｂ１、２２ｄ１を形成してある。しかし、このような案内部２２ｂ１、２２ｄ１に代えて接続安全部材２１の側に形成してもよいし、双方に形成することもできる。係合は当初より軽微にしておいて、給電制御具７はやや意識した強さで、つまり不使用を意識する程度の強さで取り外せるようにすることができる。
【００２７】
また、より安全のため、図１、図２の各図示例では上記のように、不使用に関連する調理体５の取り外しか不使用を意識した係合解除部材２３の手動操作があると前記係合が緩和ないしは外れて給電制御具７を軽微な抵抗を伴いあるいは抵抗なしに取り外せるようにするが、これを満足するのに、図１に示す例では、調理体５のヒータ２上への載置時に、遮熱板４が防熱脚８に設けたゴム４１や図示しないばねが調理体５の重みによる荷重負荷によって圧縮されて、電源接続部３を伴い沈み、給電制御具７の突出部７ｃに近づけられることで係合部２２の十分な係合を確保し、使用状態での給電制御具７の取り外しを確実に防止するようにしている。調理体５が取り外されると遮熱板４はそれによる荷重負荷から解放されるので、ゴム４１などが弾性的に復元して、遮熱板４が図示位置から電源接続部３を伴い持ち上げられるので、係合部２２の係合が外れるか、軽微にされ、給電制御具７を容易に、あるいは軽微な抵抗を伴う意識した強めの操作によって取り外せる。軽微な抵抗を伴う取り外しには、図１に示すような係合突起２２ｂの上端前部に、引き出しのための係合突起２２ｂにより接続阻止片２１ｂの上方への押し退けが軽微な抵抗で達成されるように案内する丸味または傾斜、あるいはその複合による押し上げ案内部２２ｂ２を形成するのが好適であり、この場合も、案内部２２ｂ２に代えて接続安全部材２１の側に形成してもよいし、双方に形成することもできる。
【００２８】
なお、接続安全部材２１はばねの付勢によって接続阻止位置に安定するようにしてもよいのは勿論である。
【００２９】
一方、図２に示す例でも、図１に示す例の場合同様に、調理体５のヒータ２上への載置時に、遮熱板４が防熱脚８に設けたゴム４１や図示しないばねが調理体５の重みによる荷重負荷によって圧縮されて、電源接続部３を伴い沈んで、給電制御具７の突出部７ｃに近づけられることで係合部２２の十分な係合を確保し、使用状態での給電制御具７の取り外しを確実に防止するようにしている。調理体５が取り外されると遮熱板４はそれによる荷重負荷から解放されるので、ゴム４１などが復元して、遮熱板４が図示位置から電源接続部３を伴い持ち上げられ、係合部２２の係合が外れるか、軽微にされ、給電制御具７を容易に、あるいは軽微な抵抗を伴う意識した強めの操作によって取り外せる。軽微な抵抗を伴う取り外しには、係合突起２２ｄ上端の押し上げ案内面２２ｄ１と係合ピン２２ｄを付勢するばね４２の圧縮が抵抗軽減に機能する。
【００３０】
さらに、図１に示す例、図２に示す例の加熱体５の装着により接続解除安全機構２４の係合部２２の係合をより確実にするのに、加熱体５の重みによる押し下げ負荷に代えて、加熱体５の存在による側方への押し退け負荷を用いることもできる。
【００３１】
また、図３に示す例では、係合ピン２２ｄの突出状態を、給電制御具７の外面からばね４３により上動付勢した係合解除部材２３によって支持し、給電制御具７の装着時に係合ピン２２ｄの案内面２２ｄ１によって接続阻止片２１ｂをその下側斜面２２ｂ１にて上方に押し退けながら係合孔２２ｃとの係合位置に給電制御具７の接続、装着完了と同時に進出し、この係合位置にて接続阻止片２１ｂが押しのけを解除されて下動することで、互いが十分に係合し合い、使用に関わる状態での給電制御具７の取り外しを確実に阻止し、係合解除部材２３をその操作部２３ａによりばね４３に抗して押し下げ操作し、係合部２２の係合を外すか、軽微にすることで、給電制御具７を容易に、あるいは軽微な抵抗を伴い取り外せるようにしている。図示例では接続安全部材２３のばね４３の付勢による上動位置にて係合ピン２２ｄの前記係合穴２２ｃとの係合のための突出状態を保持し、操作部２３ａをばね４３に抗し押し下げ操作することで係合を外すか軽微にするようにしている。なお、係合ピン２２ｄは係合解除部材２３に一体にしておくこともできる。なお、操作部２３ａは、給電制御具７の天面の図５、図８に示す凹部７ｂに位置させておけば、給電制御具７を凹部７ｂに指を掛けて取り外す際に、その凹部７ｂに指を掛けるのと同時に操作部２３ａを押し下げ操作することができ、押し下げ操作のために独立した作業、時間が不要となる。
【産業上の利用可能性】
【００３２】
本発明は、加熱調理器に適用して、構造や操作が複雑化することなく、給電制御具が他の部分の適正な組み合わせを条件に装着でき、不使用状態に関連してしか給電制御具が取り外せない使用および取り扱いに安全なものとすることができる。
【図面の簡単な説明】
【００３３】
【図１】本発明の実施例に係る加熱調理器の１つの例を示す要部の断面図である。
【図２】本発明の実施例に係る加熱調理器の別の例を示す要部の断面図である。
【図３】本発明の実施例に係る加熱調理器の他の例を示す要部の断面図である。
【図４】図１の加熱調理器の遮熱板に電源接続部を取付ける取付け枠と係合解除部材の分解斜視図である。
【図５】図４の加熱調理器の遮熱板を示す斜視図である。
【図６】図４の加熱調理器の外ケースを示す解斜視図である。
【図７】図４の加熱調理器のヒータの斜視図である。
【図８】図４の加熱調理器の給電制御部の斜視図である。
【符号の説明】
【００３４】
１  外ケース
１ａ  開口
３  電源接続部
３ａ  端子
３ｂ  感熱棒孔
４  遮熱板
２  ヒータ
２ｂ  端子
５  調理体
６  感熱棒
７  給電制御具
９  凹部
２１  接続安全部材
２１ａ  回動基片
２１ｂ  接続阻止片
２１ｃ  応動片
２２ａ、２２ｂ  係合突起
２２ｃ  係合穴
２２ｄ  係合ピン
２２  係合部
２３  係合解除部材
２４  接続解除安全機構
２５  軸
４２、４３  ばね
【図１】
0005092757.tif 000002
【図２】
0005092757.tif 000003
【図３】
0005092757.tif 000004
【図４】
0005092757.tif 000005
【図５】
0005092757.tif 000006
【図６】
0005092757.tif 000007
【図７】
0005092757.tif 000008
【図８】
0005092757.tif 000009